(57)【要約】 【課題】簡易な構成でクロストークによる影響を回避可能な画像形成装置を提供する。【解決手段】画像形成装置は、露光部と検出部と算出部と露光制御部とを備える。算出部は、位置ずれ補正用パターン画像の検出結果に応じて、理想位置からの露光位置のずれ量を示す補正量を算出する。露光制御部は、複数の露光部と１対１に対応し、対応する色の画像データが入力されるとともに対応する露光部に接続される複数の電線のうち、両面において他の電線と接触する電線を示す対象電線に入力される対象画像データに対応するデータ転送タイミングに対して、対象電線に接触している２つの電線のうちの一方に入力される第１画像データに対応するデータ転送タイミング、および、他方に入力される第２画像データに対応するデータ転送タイミングのうちの少なくとも一方をずらす制御である同期タイミング制御と、発光タイミングを制御する発光タイミング制御と、を行う。【選択図】図１
2015110327.tif 000002
【特許請求の範囲】
【請求項１】
画像データに応じた露光を行い、前記画像データに基づく潜像を感光体上に形成する露光部と、
複数の色ごとにそれぞれ設けられた複数の前記露光部と１対１に対応し、対応する色の画像データが入力されるとともに対応する前記露光部に接続される複数の電線のうち、両面において他の前記電線と接触する前記電線を示す対象電線に入力される対象画像データに対応するデータ転送タイミングに対して、前記対象電線に接触している２つの前記電線のうちの一方に入力される第１画像データに対応するデータ転送タイミング、および、他方に入力される第２画像データに対応するデータ転送タイミングのうちの少なくとも一方をずらす制御である同期タイミング制御と、発光タイミングを制御する発光タイミング制御と、を行う露光制御部と、を備える、
画像形成装置。
【請求項２】
前記露光制御部の制御タイミングを、
複数の色と１対１に対応する複数のチャンネル間の理想位置からの露光位置ずれ量を検知する第１の検出手段によって算出する、
請求項１に記載の画像形成装置。
【請求項３】
前記露光制御部の制御タイミングを、
複数の色と１対１に対応する複数のチャンネル間の配置位置ずれ量を検知する第２の検出手段によって算出する、
請求項１に記載の画像形成装置。
【請求項４】
前記露光制御部は、前記対象画像データに対応する前記補正量を示す第１補正量と、前記第１画像データに対応する前記補正量を示す第２補正量、および、前記第２画像データに対応する前記補正量を示す第３補正量の各々とを比較し、偶数／奇数で一致しないよう、前記第２補正量および前記第３補正量を調整してデータ転送タイミングを設定する、
請求項１乃至３のうちの何れか１項に記載の画像形成装置。
【請求項５】
前記露光制御部は、前記対象画像データに対応する前記補正量を示す第１補正量と、前記第１画像データに対応する前記補正量を示す第２補正量、および、前記第２画像データに対応する前記補正量を示す第３補正量の各々とを比較し、分周設定に応じた値で一致しないよう、前記第２補正量および前記第３補正量を調整してデータ転送タイミングを設定する、
請求項１乃至３のうちの何れか１項に記載の画像形成装置。
【請求項６】
前記露光制御部は、前記第１画像データに対応する前記補正量を示す第２補正量と、前記第２画像データに対応する前記補正量を示す第３補正量とを比較し、偶数／奇数で一致しないよう、前記第２補正量および前記第３補正量のうちの一方を調整してデータ転送タイミングを設定する、
請求項１に記載の画像形成装置。
【請求項７】
前記露光制御部は、
前記第１画像データが入力される前記電線の方が、前記第２画像データが入力される前記電線に比べて、前記対象電線と接触する距離が長い場合は、前記第２補正量と前記第３補正量が、偶数／奇数で一致しないよう、前記第２補正量を調整する、
請求項６に記載の画像形成装置。
【請求項８】
前記露光制御部は、前記第１画像データに対応する前記補正量を示す第２補正量と、前記第２画像データに対応する前記補正量を示す第３補正量とを比較し、分周設定に応じた値で一致しないよう、前記第２補正量および前記第３補正量のうちの一方を調整してデータ転送タイミングを設定する、
請求項１乃至３のうちの何れか１項に記載の画像形成装置。
【請求項９】
前記露光制御部は、データ転送タイミングを調整し、その調整量に応じて発光タイミングを調整する、
請求項１乃至８のうちの何れか１項に記載の画像形成装置。
【請求項１０】
前記露光制御部は、データ転送タイミングの調整量に応じて、複数の色と１対１に対応する複数のチャンネルの何れかの対象チャンネルの発光タイミングを、データ転送タイミングの調整方向とは逆方向に調整する、
請求項１乃至９のうちの何れか１項に記載の画像形成装置。
【請求項１１】
前記露光制御部は、データ転送タイミングの調整量に応じて、複数の色と１対１に対応する複数のチャンネルの何れかの対象チャンネル以外の他のチャンネルの発光タイミングを、データ転送タイミングの調整方向と同じ方向に調整する、
請求項１乃至９のうちの何れか１項に記載の画像形成装置。
【請求項１２】
前記電線は、フレキシブルフラットケーブルで構成される、
請求項１乃至１１のうちの何れか１項に記載の画像形成装置。
【発明の詳細な説明】
【技術分野】
【０００１】
本発明は、画像形成装置に関する。
【背景技術】
【０００２】
従来、電子機器内部の基板間を接続する部材として、フレキシブルフラットケーブル（以下、「ＦＦＣ」と表記する場合がある）が知られている。ＦＦＣは、現在の小型化された電子機器において、その薄さと耐屈曲性が機器の小型化に大きく貢献している。このため、電子写真方式の画像形成装置においても、このＦＦＣが多く使われている。特に電子写真の光源としてＬＥＤＡを使用する場合、制御基板とＬＥＤＡを、このＦＦＣで接続することが知られている。
【０００３】
複数のＬＥＤＡを有する画像形成装置においては、ＦＦＣの配線経路の共通化等の理由から、ＬＥＤＡはそれぞれ同じ向きで平行に配置した方が都合がよい。また、ＦＦＣは折り数が増えることにより加工費として費用が発生するため、ＦＦＣは折り数が少ない方が安価になる。そのため機器内においてＦＦＣを重ねて配線する（配回す）ことは低コスト化につながっている。つまり、機器内においてＦＦＣを重ねて配線する構成は画像形成装置特有の構成である。
【０００４】
しかし、重ねて配線したＦＦＣを介して信号を転送する際には、クロストークという問題が発生する。クロストークとは信号がワイヤに沿ってドライブされるたびに、ワイヤの周囲に磁界が生じ２本のワイヤが互いに隣接して配置されている場合、２つの磁界が互いに作用し合い、信号間にエネルギーのクロス結合が生じる現状である。クロストークが発生すると正確なデータが転送できない。そのため、各ＦＦＣ間が接触しないような接触防止機構を設けることでクロストークの影響を回避する技術が知られている。また、例えば特許文献１には、感光体の除電動作時に各ＬＥＤＡが同時に全点灯することで消費電流が増加することを防ぐ目的で、ＬＥＤＡへのデータ転送タイミングを制御し、発光タイミングを変化させる構成が開示されている。
【発明の概要】
【発明が解決しようとする課題】
【０００５】
しかし、従来の技術では、新たな部材追加によるコストアップが発生するという問題や、通常の印刷データ転送時には、クロストークによる影響を回避できないという問題がある。
【０００６】
本発明は、上記に鑑みてなされたものであって、簡易な構成でクロストークによる影響を回避可能な画像形成装置を提供することを目的とする。
【課題を解決するための手段】
【０００７】
上述した課題を解決し、目的を達成するために、本発明は、画像データに応じた露光を行い、前記画像データに基づく潜像を感光体上に形成する露光部と、複数の色ごとにそれぞれ設けられた複数の前記露光部と１対１に対応し、対応する色の画像データが入力されるとともに対応する前記露光部に接続される複数の電線のうち、両面において他の前記電線と接触する前記電線を示す対象電線に入力される対象画像データに対応するデータ転送タイミングに対して、前記対象電線に接触している２つの前記電線のうちの一方に入力される第１画像データに対応するデータ転送タイミング、および、他方に入力される第２画像データに対応するデータ転送タイミングのうちの少なくとも一方をずらす制御である同期タイミング制御と、発光タイミングを制御する発光タイミング制御と、を行う露光制御部と、を備える画像形成装置である。
【発明の効果】
【０００８】
本発明によれば、簡易な構成でクロストークによる影響を回避できる。
【図面の簡単な説明】
【０００９】
【図１】図１は、一般的な電子写真装置のうち、画像の形成を行う部分の構成例を中心に示す図である。
【図２】図２は、一般的な電子写真装置のうち、画像の形成を行う部分の構成例を中心に示す図である。
【図３】図３は、本実施形態の画像形成装置を制御するための構成の一例を示す機能ブロック図である。
【図４】図４は、ＬＥＤＡヘッドと画像書き込み制御部との関係を示す図である。
【図５】図５は、画像形成装置におけるＦＦＣとＬＥＤＡヘッドの構成を説明するための図である。
【図６】図６は、画像形成装置内の重なり合ったＦＦＣの断面を説明するための図である。
【図７】図７は、クロストークの波形例を示す図である。
【図８】図８は、ＬＥＤＡヘッドに対する画像データの転送時に設定される信号を説明するための図である。
【図９】図９は、具体的なクロストークによる影響を説明するための図である。
【図１０】図１０は、具体的なクロストークを回避する方法について説明するための図である。
【図１１】図１１は、具体的なクロストークを回避する別の方法について説明するための図である。
【図１２】図１２は、具体的なクロストークによる影響を説明するための図である。
【図１３】図１３は、具体的なクロストークを回避する方法について説明するための図である。
【図１４】図１４は、具体的なクロストークによる影響と位置ずれを回避する方法について説明するための図である。
【発明を実施するための形態】
【００１０】
以下、添付図面を参照しながら、本発明の画像形成装置の実施形態を詳細に説明する。本発明の画像形成装置は、電子写真方式で画像を形成する装置であれば適用でき、例えば、電子写真方式の画像形成装置や複合機（ＭＦＰ：Multifunction  Peripheral）などにも適用できる。なお、複合機とは、印刷機能、複写機能、スキャナ機能、および、ファクシミリ機能のうちの少なくとも２つの機能を有する装置である。
【００１１】
図１は、一般的な電子写真装置のうち、画像の形成を行う部分の構成例を中心に示す図である。図１に示す電子写真装置は、無端状移動手段である搬送ベルト５に沿って、Ｃ（シアン）の色の画像を形成する画像形成部（電子写真プロセス部）６Ｃ、Ｍ（マゼンダ）の色の画像を形成する画像形成部６Ｍ、Ｙ（イエロー）の色の画像を形成する画像形成部６Ｙ、Ｋ（ブラック、Ｂｋと表記する場合もある）の色の画像を形成する画像形成部６Ｋが並べられた構成を備え、所謂タンデムタイプと呼ばれる。以下では、各画像形成部６Ｙ、６Ｍ、６Ｃおよび６Ｋを互いに区別しない場合は、単に「画像形成部６」と表記することもある。図１に示す電子写真装置は、画像データに従った露光が行われた感光体ドラムから、用紙などの記録媒体に対して画像を直接転写する方式である。
【００１２】
図１に示すように、給紙トレイ１から給紙ローラ２と分離ローラ３とにより分離給紙される用紙４を搬送する搬送ベルト５に沿って、この搬送ベルト５の搬送方向の上流側から順に、複数の画像形成部６Ｙ、６Ｍ、６Ｃ、６Ｋが配列されている。これら複数の画像形成部６Ｙ、６Ｍ、６Ｃ、６Ｋは、形成するトナー画像の色が異なるだけで内部構成は共通である。以下の説明では、画像形成部６Ｙについて具体的に説明するが、他の画像形成部６Ｍ、６Ｃ、６Ｋの構成は画像形成部６Ｙと同様であるので、画像形成部６Ｍ、６Ｃ、６Ｋの各構成要素については、画像形成部６Ｙの各構成要素に付したＹに替えて、Ｍ、Ｃ、Ｋを付して区別した符号を図に表示するにとどめ、説明を省略する。
【００１３】
搬送ベルト５は、回転駆動される駆動ローラ７と従動ローラ８とに巻回されたエンドレスのベルトである。この駆動ローラ７は、不図示の駆動モータにより回転駆動させられ、この駆動モータと、駆動ローラ７と、従動ローラ８とが、無端状移動手段である搬送ベルト５を移動させる駆動手段として機能する。画像形成に際して、給紙トレイ１に収納された用紙４は最も上のものから順に送り出され、静電吸着作用により搬送ベルト５に吸着されて回転駆動される搬送ベルト５により最初の画像形成部６Ｙに搬送され、ここで、イエローのトナー画像を転写される。
【００１４】
図１に示すように、画像形成部６Ｙは、感光体としての感光体ドラム９Ｙと、感光体ドラム９Ｙの周囲に配置された帯電器１０Ｙと、ＬＥＤＡヘッド１１Ｙ、現像器１２Ｙ、感光体クリーナ（図示せず）、除電器１３Ｙとを含んで構成される。ＬＥＤＡヘッド１１Ｙは、感光体ドラム９Ｙを露光するように構成されている。
【００１５】
画像形成に際し、感光体ドラム９Ｙの外周面は、暗中にて帯電器１０Ｙにより一様に帯電された後、ＬＥＤＡヘッド１１Ｙからのイエロー画像に対応した照射光により露光され、静電潜像を形成される。現像器１２Ｙは、この静電潜像をイエローのトナーにより可視像化する。これにより、感光体ドラム９Ｙ上にイエローのトナー画像が形成される。感光体ドラム９Ｙ上に形成されたイエローのトナー画像は、感光体ドラム９Ｙと搬送ベルト５上の用紙４とが接する位置（転写位置）で、転写器１５Ｙの働きにより用紙４上に転写される。この転写により、用紙４上にイエローのトナーによる画像が形成される。トナー画像の転写が終了した感光体ドラム９Ｙは、外周面に残留した不要なトナーを感光体クリーナにより払拭された後、除電器１３Ｙにより除電され、次の画像形成のために待機する。
【００１６】
以上のようにして、画像形成部６Ｙでイエローのトナー画像を転写された用紙４は、搬送ベルト５によって次の画像形成部６Ｍに搬送される。画像形成部６Ｍでは、画像形成部６Ｙでの画像形成プロセスと同様のプロセスにより感光体ドラム９Ｍ上にマゼンダのトナー画像が形成され、マゼンダのトナー画像が用紙４上に形成されたイエローのトナー画像に重畳されて転写される。用紙４は、さらに次の画像形成部６Ｃ、６Ｋに搬送され、同様の動作により、感光体ドラム９Ｃ上に形成されたシアンのトナー画像と、感光体ドラム９Ｋ上に形成されたブラックのトナー画像とが、用紙４上に順次に重畳されて転写される。こうして、用紙４上にフルカラーの画像が形成される。つまり、図１の例では、画像形成部６は、所定速度で駆動される記録媒体（用紙４）に対して複数の色の画像を重ね合わせて形成する。このフルカラーの重畳画像が形成された用紙４は、搬送ベルト５から剥離されて定着器１６に送り込まれる。定着器１６は、熱および圧力を加えることにより、用紙４上に重畳画像を定着させる。画像が定着された用紙４は、電子写真装置の外部に排紙される。
【００１７】
以上のような電子写真方式の画像形成装置では、各色の転写位置がずれていると、各色のトナー画像が正しく重ならず、印刷画像の画像品質が低下する。そのため、各色の転写位置のずれを補正する必要がある（各色の像の位置ずれを補正する必要がある）。図１に示す電子写真装置は、位置ずれ補正のために、像担持体である搬送ベルト５に対して位置ずれ補正用パターン画像を形成する。各感光体ドラム（９Ｙ、９Ｍ、９Ｃ、９Ｋ）の下流側（搬送ベルト５の駆動方向の下流側）には、搬送ベルト５に形成された位置ずれ補正用パターン画像を検出するためのセンサ１７および１８が設けられる。
【００１８】
センサ１７および１８の各々は、例えばＴＭセンサなどの光反射式センサで構成され、検出対象に向けて光線を出射する光源と、検出対象からの反射光を検出する光検出素子とを有する。図１の例では、センサ１７および１８は、搬送ベルト５の駆動方向（搬送方向、副走査方向）に直交する方向（主走査方向）に整列して配置される。なお、図１の例では、主走査方向に沿って２つのセンサ（１７，１８）が配置されているが、位置ずれ補正用パターン画像を検出するためのセンサの数および位置は任意に変更可能である。
【００１９】
図１に例示された電子写真装置は、記録媒体に画像を直接転写する方式の装置であるが、図２に例示された電子写真装置は、中間転写ベルト５に形成されたトナー画像を、用紙４などの記録媒体に転写する方式の装置である。
【００２０】
図２の例では、無端状移動手段は搬送ベルトでは無く、中間転写ベルト５である。中間転写ベルト５は、回転駆動される駆動ローラ７と従動ローラ８とに巻回されたエンドレスのベルトである。各色のトナー画像は、感光体ドラム９Ｙ、９Ｍ、９Ｃ、９Ｋと中間転写ベルト５とが接する位置（１次転写位置）で、転写器１５Ｙ、１５Ｍ、１５Ｃ、１５Ｋの働きにより中間転写ベルト５上に転写される。この転写により、中間転写ベルト５上に各色のトナーによる画像が重ね合わされたフルカラー画像が形成される。つまり、図２の例では、画像形成部６は、所定速度で駆動される像担持体(中間転写ベルト５)に対して複数の色の画像を重ね合わせて形成する。画像形成に際して、給紙トレイ１に収納された用紙４は最も上のものから順に送り出され、中間転写ベルト５上に搬送される。中間転写ベルト５上に形成されたフルカラーのトナー画像は、中間転写ベルト５と用紙４とが接する位置（２次転写位置２０）で、２次転写ローラ２１の働きにより、用紙４上に転写される。２次転写ローラ２１は中間転写ベルト５に密着しており、接離機構は無い。こうして、用紙４上にフルカラーの画像が形成される。このフルカラーの重畳画像が形成された用紙４は、定着器１６に送り込まれ、定着器１６にて画像が定着された用紙４は、外部に排紙される。
【００２１】
図２の例では、位置ずれ補正のために、像担持体である中間転写ベルト５に対して位置ずれ補正用パターン画像を形成する。各感光体ドラム（９Ｙ、９Ｍ、９Ｃ、９Ｋ）の下流側（中間転写ベルト５の駆動方向の下流側）には、中間転写ベルト５に形成された位置ずれ補正用パターン画像を検出するためのセンサ１７および１８が設けられる。
【００２２】
本実施形態に係る画像形成装置としては、図１に例示した電子写真装置を用いることもできるし、図２に例示した電子写真装置を用いることもできる。以下の説明では、本実施形態の画像形成装置を、「画像形成装置１０００」と称する。
【００２３】
図３は、本実施形態の画像形成装置１０００を制御するための構成例を示す機能ブロック図である。図３に示すように、画像形成装置１０００は、制御部３０と、Ｉ／Ｆ（インターフェイス）部３１と、作像プロセス部３２と、副制御部３３と、操作部３４と、記憶部３５と、プリントジョブ管理部３６と、定着部３７と、読取部３８と、画像書き込み制御部３９と、ラインメモリ４０と、検出部４１とを有する。これらの機能は、ソフトウェアとハードウェアとの組み合わせによって構成される。具体的には、画像形成装置１０００には、ＣＰＵ、ＲＯＭ、ＲＡＭ等を含む通常のコンピュータ装置が搭載され、上述の各部の機能は、ＣＰＵがＲＯＭ等に格納されたプログラムをＲＡＭ上に読み出して実行することにより提供されるソフトウェア機能と、半導体集積回路などのハードウェアにより実現される機能との組み合わせによって構成され得る。
【００２４】
なお、画像形成装置１０００で実行されるプログラム（ＣＰＵが実行するプログラム）は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。さらに、画像形成装置１０００で実行されるプログラムを、インターネット等のネットワークに接続されたコンピュータ上に格納し、ネットワーク経由でダウンロードさせることにより提供するように構成してもよい。また、画像形成装置１０００で実行されるプログラムをインターネット等のネットワーク経由で提供または配布するように構成してもよい。
【００２５】
図３に示すＩ／Ｆ部３１は、画像形成装置１０００に印刷要求を行う端末（例えばパーソナルコンピュータ（ＰＣ）等）と通信を行う。
【００２６】
副制御部３３は、端末から送信された印刷要求に含まれる画像データを制御部３０に送信する。プリントジョブ管理部３６は、この画像形成装置１０００に対して要求された印刷要求（印刷ジョブ）について、印刷を行う順番などを管理する。
【００２７】
作像プロセス部３２は、上述した各画像形成部６Ｙ、６Ｍ、６Ｃおよび６Ｋを含み、各感光体ドラム９Ｙ、９Ｍ、９Ｃおよび９Ｋに書き込まれた静電潜像の現像や転写などの処理を行う。
【００２８】
定着部３７は、上述した定着器１６や定着器１６を制御するための構成などを有し、作像プロセス部３２によりトナー画像を転写した用紙に対して熱および圧力を加えて、トナー画像を用紙に定着させる処理を行う。
【００２９】
操作部３４は、画像形成装置１０００への入力を受け付け、画像形成装置１０００の状態を表示する機能を有する。
【００３０】
検出部４１は、上述のセンサ１７および１８を含み、センサ１７および１８の各々から出力された信号に基づいて、位置ずれ補正用パターン画像の検出処理を行う。
【００３１】
記憶部３５は、ある時点における画像形成装置１０００の状態を示す情報を記憶する。例えば、検出部４１による位置ずれ補正用パターン画像の検出結果は、記憶部３５に格納される。
【００３２】
読取部３８は、用紙上の印字情報を読み取り、電気信号に変換するもので、所謂スキャナ機能を実現する。
【００３３】
画像書込み制御部３９は、制御部３０の制御の下、副制御部３３から送信された画像データを、ＬＥＤＡヘッド１１を制御する信号に変換してＬＥＤＡヘッド１１に転送することで、ＬＥＤＡヘッド１１を点灯させる。これにより、ＬＥＤＡヘッド１１は、画像データに応じた露光を行い、画像データに基づく潜像を感光体ドラム９上に形成する。この例では、ＬＥＤＡヘッド１１は、請求項の「露光部」に対応していると考えることができる。この例では、画像書込み制御部３９は、副制御部３３から送信された複数の色の画像データ（この例では、ＣＭＹＫ各版の画像データ）ごとに、当該画像データを、当該画像データの色に対応するＬＥＤＡヘッド１１を制御する信号に変換し、その対応するＬＥＤＡヘッド１１を点灯させる。例えばＹ（イエロー）色版の画像データについては、そのＹ色版の画像データを、ＬＥＤＡヘッド１１Ｙを制御する信号に変換してＬＥＤＡヘッド１１Ｙへ転送することで、ＬＥＤＡヘッド１１Ｙを点灯させるといった具合である。
【００３４】
ラインメモリ４０は、副制御部３３から送信された画像データを、一時的なバッファに格納し、画像処理によってスキュー処理を調整する。
【００３５】
制御部３０は、画像形成装置１０００全体を制御する。また、制御部３０は、バス上のデータ転送の調停を行う調停部を有し、上述した各部間でのデータ転送を制御する。
【００３６】
制御部３０は、検出部４１による位置ずれ補正用パターン画像の検出結果に応じて、理想位置からの露光位置のずれ量を示す補正量（位置ずれ補正量）を、色ごとに（この例ではＣＭＹＫごとに）算出する機能を有する。露光位置のずれ量（画像書出し位置のずれ量）は感光体ドラム９へのＬＥＤＡ／レーザ光の入射角度の公差によるずれ量や、像担持体（搬送ベルト５または中間転写ベルト５）の搬送速度の変化によるずれ量によって発生し、このずれは、位置ずれ補正用パターン画像の検出結果に現れる。このため、位置ずれ補正用パターン画像の検出結果を用いて、画像書出し位置の補正（つまり、露光タイミングの補正）を行うことができる。上述の補正量を算出する方法としては、公知の様々な技術を利用可能である。
【００３７】
また、後述するように、本実施形態では、ＣＭＹＫの４つの色と１対１に対応する４つのＬＥＤＡヘッド（１１Ｙ，１１Ｍ，１１Ｃ，１１Ｋ）の各々には、対応する色の画像データが入力されるＦＦＣ（請求項の「電線」に対応）が接続される。つまり、本実施形態では、４つのＬＥＤＡヘッド１１と１対１に対応する４つのＦＦＣが設けられている。制御部３０は、ＣＭＹＫと１対１に対応する４つのＦＦＣのうち、両面において他のＦＦＣと接触する対象ＦＦＣ（請求項の「対象電線」に対応）に入力される画像データを示す対象画像データに対応するデータ転送タイミングに対して、対象ＦＦＣに接触している２つのＦＦＣのうちの一方に入力される画像データを示す第１画像データに対応するデータ転送タイミング、および、他方に入力される画像データを示す第２画像データに対応するデータ転送タイミングのうちの少なくとも一方をずらす制御（同期タイミング制御）と、発光タイミングを制御する発光タイミング制御と、を行う。詳細な内容については後述する。この例では、制御部３０は、請求項の「露光制御部」に対応する機能を有していると考えることができる。
【００３８】
なお、この例では、制御部３０は、複数の色と１対１に対応する複数のチャンネル間の理想位置からの露光位置ずれ量を検知（上述の位置ずれ補正用パターン画像の検出結果から算出）する機能も有しており、請求項の「第１の検出手段」に対応していると考えることができる。この例では、制御部３０は、請求項の「露光制御部」に対応する機能と、「第１の検出手段」に対応する機能とを兼ね備えているが、これに限らず、請求項の「露光制御部」に対応する機能と、「第１の検出手段」に対応する機能とが別々に設けられる形態であってもよい。要するに、露光制御部の制御タイミングを、複数のチャンネル間の理想位置からの露光位置ずれ量を検知する第１の検出手段によって算出する形態であればよい。この例では、制御部３０は、複数のチャンネル間の理想位置からの露光位置ずれ量を検知し、その検知した露光位置ずれ量に基づいて、同期タイミング制御と発光タイミング制御の制御タイミングを決定（露光制御部の制御タイミングを決定）している。
【００３９】
なお、本実施形態では、カラー印刷機におけるチャンネル間のタイミング調整を例に挙げて説明するが、例えばモノクロ広幅機などで主走査方向に複数のチャンネルを千鳥状に配置する場合に、チャンネル間の配置位置ずれを検出するため、出力画像などをスキャナで検出し、その検出結果をフィードバックして、タイミング調整する形態であってもよい。要するに、露光制御部の制御タイミングを、複数の色と１対１に対応する複数のチャンネル間の配置位置ずれ量を検知する第２の検出手段によって算出する形態であってもよい。例えば制御部３０が、複数のチャンネル間の配置位置ずれ量を検知し、その検知した配置位置ずれ量に基づいて、同期タイミング制御と発光タイミング制御の制御タイミングを決定（露光制御部の制御タイミングを決定）する形態であってもよい。
【００４０】
図４は、ＬＥＤＡヘッド１１と画像書き込み制御部３９との関係を示す図である。画像書き込み制御部３９内の補正データ制御手段１１０は、補正データ読出し制御手段１１１と、補正データ調整制御手段１１２と、補正データ転送制御手段１１３とを有する。補正データ読出し制御手段１１１により、ＬＥＤＡヘッド１１内のメモリ１２０に格納された補正データ（各発光素子１３０の発光時間用補正データ、駆動電流用補正データ、ヘッド全体の平均光量等を含む）を読み出し、必要に応じて、補正データ調整制御手段１１２によってデータ処理を実施する。そして、その後、補正データ転送制御手段１１３によりＬＥＤＡヘッド１１内のドライバＩＣ１４０に補正データを転送する。ＬＥＤＡヘッド１１内では、転送された補正データに応じて、ドライバＩＣ１４０が発光時間調整手段１４１および駆動電流調整手段１４２によって制御され、各発光素子１３０を発光させる。
【００４１】
図５は、カラータンデム機の板金フレームと、ＣＭＹＫの４色と１対１に対応する４本のＬＥＤＡヘッド（１１Ｙ，１１Ｍ，１１Ｃ，１１Ｋ）および４本のＦＦＣ（１００ａ，１００ｂ，１００ｃ，１００ｄ）の構成を示した斜視図である。図５に示すように、４本のＬＥＤＡヘッド１１Ｙ、１１Ｍ、１１Ｃ、および１１Ｋを保持するための側面板金３０１と３０２、この側面板金３０１と３０２を底面で固定するための底板金３０３、及び、この側面板金３０１と３０２と底板金３０３とを背面より固定するための板金ボックス３００が設けられている。次に、４本のＬＥＤＡヘッド１１に画像信号を送信するため、板金ボックス３００の内部にある制御基板から板金ボックス３００の上部に開けられた穴に４本のＦＦＣ１００ａ、１００ｂ、１００ｃ、及び、１００ｄを通し、これらのＦＦＣを介して制御基板と各ＬＥＤＡヘッド１１とが接続される。この例では、制御基板には、例えば上述のＣＰＵ等が搭載される。ここで、板金ボックス３００、側面板金３０１、３０２、及び底板金３０３の各々は接地されている。
【００４２】
図６は、画像形成装置１０００内において重なり合ったＦＦＣ断面について説明する図である。図５に例示された画像形成装置１０００内では各ＦＦＣは同じ向きで重なり合っている。また各色のＬＥＤＡは同一品を使用している為、ピンアサインも同一であり、図６に例示するように、同種の信号が重なり合うこととなる。
【００４３】
図５では、一例として、Ｙ色に対応するＬＥＤＡヘッド１１Ｙは、ＦＦＣ１００ｄを介して制御基板と接続される。また、Ｍ色に対応するＬＥＤＡヘッド１１Ｍは、ＦＦＣ１００ｃを介して制御基板と接続される。また、Ｃ色に対応するＬＥＤＡヘッド１１Ｃは、ＦＦＣ１００ｂを介して制御基板と接続される。さらに、Ｋ色に対応するＬＥＤＡヘッド１１Ｋは、ＦＦＣ１００ａを介して制御基板と接続される。
【００４４】
本構成では、Ｍ色に対応するＦＦＣ１００ｃは、両面共、長距離にわたって他のＦＦＣ（１００ｄ，１００ｂ）に接触している。また、Ｃ色に対応するＦＦＣ１００ｂは、両面共、他のＦＦＣ（１００ａ，１００ｃ）に接触しており、両面に接触している他のＦＦＣ（１００ａ，１００ｃ）のうち、ＦＦＣ１００ｃとは長距離にわたって接触し、ＦＦＣ１００ａとは短距離にわたって接触している。また、Ｙ色に対応するＦＦＣ１００ｄは、片面のみ、長距離にわたって他のＦＦＣ１００と接触している。さらに、Ｋ色に対応するＦＦＣ１００ａは、片面のみ、短距離にわたって他のＦＦＣ１００ｂと接触している。したがって、この例では、ＦＦＣを介したクロストークの影響は、Ｍ，Ｃ，Ｙ，Ｋの順で大きくなる。つまり、Ｍ色に対応するＦＦＣ１００ｃが、最もクロストークの影響を受け易い信号線（電線）となる。図７は、クロストークの波形例を示す図である。図７の例では、所定期間Ｔｘにおいては、Ｍ色に対応するＦＦＣ１００ｃに入力される信号は本来０であるところ、当該ＦＦＣ１００ｃの両面のうちの一方の面に接触して配線されているＦＦＣ１００ｂ、および、他方の面に接触して配線されている１００ｄの各々に信号が供給されることで生じるクロストークの影響を受けて、０でない信号が、Ｍ色に対応するＦＦＣ１００ｃに発生していることを示している。
【００４５】
次に、具体的な画像データの転送／発光方法と画像の書出し位置の調整方法を説明する。図８に示すように、ＬＥＤＡヘッド１１に対する画像データの転送では、制御部３０は、基準クロック（ｃｌｋ＿ｄ）に同期させて、ＬＥＤＡ周期信号、ＬＥＤＡ転送クロック、ＬＥＤＡデータ信号、ＬＥＤＡ発光信号を生成する。ＬＥＤＡ周期信号は、主走査１ライン分の画像データを転送する周期を設定する信号である。ＬＥＤＡ転送クロックは、基準クロック（ｃｌｋ＿ｄ）を分周したデータ転送時に用いる信号である。ＬＥＤＡデータ信号は、複数ｂｉｔを有する信号である。ＬＥＤＡ発光信号は、データ転送後にＬＥＤＡヘッド１１を発光制御する信号である。以下において、ＬＥＤＡ周期信号：Ｋは、Ｋ色に対応するＦＦＣ１００ａに入力されるＬＥＤＡ周期信号を表し、ＬＥＤＡ転送クロック：Ｋは、Ｋ色に対応するＦＦＣ１００ａに入力されるＬＥＤＡ転送クロックを表し、ＬＥＤＡデータ信号：Ｋは、Ｋ色に対応するＦＦＣ１００ａに入力されるＬＥＤＡデータ信号を表し、ＬＥＤＡ発光信号：Ｋは、Ｋ色に対応するＦＦＣ１００ａに入力されるＬＥＤＡ発光信号を表す。他の色（Ｃ、Ｍ等）に関する信号の表記についても同様である。
【００４６】
制御部３０は、画像形成装置１０００のプロセス線速に対して、所要時間内に必要数のデータ転送ができるようＬＥＤＡ周期信号を設定する。そして、ＬＥＤＡ周期信号で設定した転送周期内で、ＬＥＤＡ転送クロックとＬＥＤＡデータ信号を用いて、ＬＥＤＡヘッドに画像データを転送する制御を行う。本実施形態では、８分割方式のＬＥＤＡヘッド１１を記載しており、転送周期内でＬＥＤＡヘッドを８分割で発光させるため、ＬＥＤＡ発光信号を８回入力している。
【００４７】
本実施形態において、副走査方向の画像書出し位置を調整する方法として、例えば１ライン単位で副走査方向に画像書出し位置を遅らせるためには、１転送周期単位で遅らせればよい。さらに、１ライン内の範囲で画像書出し位置を遅らせる為には、基準クロック(ｃｌｋ＿ｄ)単位で遅らせればよい。例えば図８に示すように、Ｙは書出し位置調整量：０ｃｌｋ＿ｄ、Ｍは書出し位置調整量：８０ｃｌｋ＿ｄとした場合（本実施形態では、例えばプロセス線速：４００ｍｍ／ｓ、基準クロックｃｌｋ＿ｄ：５ＭＨｚ、１ライン：２４００ｄｐｉ＝１０．５８μｍとする）、ＭはＹに対して書き出し位置調整量：６．４μｍとなる。以上のように、ＬＥＤＡ周期信号の開始タイミングを調整することで、１ライン単位に対して、高精度に画像書出し位置を調整することができる。よって、位置合わせ制御により算出される副走査方向の画像書出し位置の補正量（位置ずれ補正用パターン画像の検出結果に応じて算出される位置ずれ補正量）を、１ライン単位の補正量と、１ライン内の補正量に分けて補正することで、副走査方向の画像書出し位置の補正を高精度に行うことが可能である。なお、本実施例では該当ライン周期内にデータ転送と発光制御を行っているが、該当ライン内で完了しない転送方式でもよい。
【００４８】
図９は、具体的なクロストークによる影響を説明するための模式図である。本実施形態では、ＬＥＤＡ転送クロックは、基準クロックの４分周で生成されている。この分周設定は、マシン生産性等から算出される値であり、条件に応じて分周設定を変えることは可能である。また、ＬＥＤＡデータ信号は、ＬＥＤＡ転送クロックに対して位相差が−９０°になるタイミングで生成されている。上記ＬＥＤＡ転送クロックの立ち上がり/立ち下がりエッジに対して、ＬＥＤＡデータ信号がＡＣ特性であるセットアップ/ホールドタイムを満たすことでデータ転送を実現している。
【００４９】
図９に示すように、ＬＥＤＡデータ信号：ＹとＬＥＤＡデータ信号：Ｃが同時に動作（位相が一致）し、且つ、ＬＥＤＡデータ信号：Ｍは動作しない場合、図６で記載したように、Ｙ色に対応するＦＦＣ１００ｄとＣ色に対応するＦＦＣ１００ｂに挟まれたＦＦＣ１００ｃ（Ｍ色に対応するＦＦＣ１００ｃ）はクロストークの影響を受けて、本来Ｌｏｗ（ローレベル）固定のデータ信号がＨｉ（ハイレベル）に変化してしまう。図９では、データ信号は１ｂｉｔしか記載していないが、本実施形態ではＬＥＤＡデータ信号は８ｂｉｔを有する信号であり、複数ｂｉｔが同タイミングで動作した場合、クロストークの影響はより大きくなる。このクロストークの影響により、本来ＬｏｗのＬＥＤＡデータ信号：ＭがＨｉになってしまい、図９の矢印Ｐで示したように、ＬＥＤＡ転送クロック：Ｍに対してセットアップ/ホールドを満たしてしまい、誤データを転送してしまう。
【００５０】
ＬＥＤＡデータ信号：ＹとＬＥＤＡデータ信号：Ｃが同時に動作するかどうかは、図８で記載した１ライン内の書出し位置調整量によって決まる。位置合わせ制御によって算出される画像書出し位置補正量（位置ずれ補正量）から任意に書出し位置調整量が算出されるので、算出結果に応じて同位相になる場合もあるし、位相がずれる場合もある。
【００５１】
図９に記載したように、複数チャンネル（ＣＨ）において同位相でＬＥＤＡデータ信号が動作する場合にクロストークによる影響が大きくなるので、一番影響の受けやすいチャンネルに対して、他のチャンネルの位相を意図的にずらすことで、クロストークによる影響を緩和することができる。本実施形態では、制御部３０は、Ｍ色の画像データ（この例では、請求項の「対象画像データ」に対応）に対応する位置ずれ補正量（請求項の「第１補正量」に対応）と、Ｃ色の画像データ（この例では、請求項の「第１画像データ」に対応）に対応する位置ずれ補正量（請求項の「第２補正量」に対応）、および、Ｙ色の画像データ（この例では、請求項の「第２画像データ」に対応）に対応する位置ずれ補正量（請求項の「第３補正量」に対応）の各々とを比較し、偶数／奇数で一致しないよう、Ｃ色の画像データに対応する位置ずれ補正量、および、Ｙ色の画像データに対応する位置ずれ補正量を調整してデータ転送タイミングを設定する。より具体的には以下のとおりである。
【００５２】
図１０は、具体的なクロストークを回避する方法について説明するための図である。この例では、各色に対応する位置ずれ補正量（以下の説明では、「書き出し位置補正量」と称する場合がある）をそのまま各色に対応する書出し位置調整量とするのではなく、Ｍ色に対応するＦＦＣ１００ｃに対して影響を与えるＦＦＣ１００ｂおよびＦＦＣ１００ｄの各々に入力される画像データ（Ｃ色の画像データ、Ｙ色の画像データ）に対応する書出し位置調整量を制御し、ＬＥＤＡデータ信号：Ｍに対してＬＥＤＡデータ信号：Ｙ／Ｃの位相がずれるようにする。この制御を行うことで、ＬＥＤＡデータ信号：Ｍに対してクロストークによる影響が発生しても、図１０に示すように、ＬＥＤＡ転送クロック：Ｍのセットアップ／ホールドタイミングに対しては影響しないタイミングで発生させることができるので、誤データは転送されない。
【００５３】
以下、ＬＥＤＡデータ信号：Ｍに対してＬＥＤＡデータ信号：Ｙ／Ｃ両方の位相を一致させないための具体的な方法を記載する（以下では、説明の便宜上、制御に関連する３ＣＨ分の計算方法のみ記載する）。以下の説明では、Ｃ色の画像データに対応する書出し位置補正量を「書出し位置補正量Ｃ１」、Ｍ色の画像データに対応する書出し位置補正量を「書出し位置補正量Ｍ１」、Ｙ色の画像データに対応する書出し位置補正量を「書出し位置補正量Ｙ１」と表記する。また、Ｃ色の画像データに対応する書出し位置調整量を「書出し位置調整量Ｃ２」、Ｍ色の画像データに対応する書出し位置調整量を「書出し位置調整量Ｍ２」、Ｙ色の画像データに対応する書出し位置調整量を「書出し位置調整量Ｙ２」と表記する。
【００５４】
この例では、書出し位置補正量Ｙ１／Ｃ１と書出し位置補正量Ｍ１を比較し、偶数/奇数で一致しないように書出し位置調整量Ｙ２と書出し位置調整量Ｃ２を算出する。書出し位置補正量Ｙ１を２で除算した場合の剰余と書出し位置補正量Ｍ１を２で除算した場合の剰余とが一致する場合、書出し位置調整量Ｍ２＝書出し位置補正量Ｍ１（書出し位置補正量Ｍ１をそのまま書出し位置調整量Ｍ２とする）、書出し位置調整量Ｙ２＝書出し位置補正量Ｙ１＋１（ＣＬＫ＿ｄ）とする。
【００５５】
また、書出し位置補正量Ｙ１を２で除算した場合の剰余と書出し位置補正量Ｍ１を２で除算した場合の剰余とが一致しない場合、書出し位置調整量Ｍ２＝書出し位置補正量Ｍ１、書出し位置調整量Ｙ２＝書出し位置補正量Ｙ１とする。
【００５６】
また、書出し位置補正量Ｃ１を２で除算した場合の剰余と書出し位置補正量Ｍ１を２で除算した場合の剰余とが一致する場合、書出し位置調整量Ｍ２＝書出し位置補正量Ｍ１、書出し位置調整量Ｃ２＝書出し位置補正量Ｃ１＋１（ＣＬＫ＿ｄ）とする。
【００５７】
また、書出し位置補正量Ｃ１を２で除算した場合の剰余と書出し位置補正量Ｍ１を２で除算した場合の剰余とが一致しない場合、書出し位置調整量Ｍ２＝書出し位置補正量Ｍ１、書出し位置調整量Ｃ２＝書出し位置補正量Ｃ１とする。
【００５８】
以上のようにして算出された書出し位置調整量に従ってデータ転送タイミングが設定されることになる。なお、本実施形態では４分周でＬＥＤＡ転送クロックを生成しているため、一致しない組み合わせとしては偶数／奇数しかないが、分周設定を変えた場合には一致しない組み合わせは増える。この場合、制御部３０は、Ｍ色の画像データに対応する位置ずれ補正量と、Ｃ色の画像データに対応する位置ずれ補正量、および、Ｙ色の画像データに対応する位置ずれ補正量の各々とを比較し、分周設定に応じた値で一致しないよう、Ｃ色の画像データに対応する位置ずれ補正量、および、Ｙ色の画像データに対応する位置ずれ補正量を調整して、データ転送タイミングを設定すればよい。
【００５９】
図１０に記載した方法は、ＬＥＤＡデータ信号：Ｍに対してＬＥＤＡデータ信号：Ｙ／Ｃ両方の位相を一致させないことでクロストークの影響を回避する方法であるが、例えばＬＥＤＡデータ信号：Ｙ／Ｃの両方ではなく、どちらか一方の位相を一致させないことでクロストークの影響を回避する方法を採用することもできる。つまり、制御部３０は、Ｃ色の画像データに対応する位置ずれ補正量と、Ｙ色の画像データに対応する位置ずれ補正量とを比較し、偶数／奇数で一致しないよう、Ｃ色の画像データに対応する位置ずれ補正量、および、Ｙ色の画像データに対応する位置ずれ補正量のうちの一方を調整して、データ転送タイミングを設定することもできる。
【００６０】
図１１は、ＬＥＤＡデータ信号：Ｍに対して、ＬＥＤＡデータ信号：Ｙ／Ｃのうちの一方の位相を一致させないことでクロストークの影響を回避する方法を説明するための図である。図１１の例では、ＬＥＤＡ転送クロック：Ｍに対してセットアップ/ホールドタイミングは満たしてしまうが、クロストークの影響を受けるのは１ＣＨのみからなのでＤＣレベルは半減し、ＤＣ特性を満たさないことで誤データ転送を防ぐことができる。以下、具体的な方法を記載する。
【００６１】
この例では、書出し位置補正量Ｙ１と書出し位置補正量Ｃ１とを比較し、偶数/奇数で一致しないように書出し位置調整量Ｙ２と書出し位置調整量Ｃ２を算出する。なお、書出し位置調整量Ｍ２は、書出し位置補正量Ｍ１と同じ値に設定される。例えば書出し位置補正量Ｙ１を２で除算した場合の剰余と書出し位置補正量Ｃ１を２で除算した場合の剰余とが一致する場合、書出し位置調整量Ｃ２＝書出し位置補正量Ｃ１、書出し位置調整量Ｙ２＝書出し位置補正量Ｙ１＋１（ｃｌｋ＿ｄ）とする。
【００６２】
また、例えば書出し位置補正量Ｙ１を２で除算した場合の剰余と書出し位置補正量Ｃ１を２で除算した場合の剰余とが一致しない場合、書出し位置調整量Ｃ２＝書出し位置補正量Ｃ１、書出し位置調整量Ｙ２＝書出し位置補正量Ｙ１とする。
【００６３】
以上のようにして算出された書出し位置調整量に従ってデータ転送タイミングが設定されることになる。なお、ここでは、対象ＣＨ：Ｍに対してＦＦＣが重なる距離が長いＣＨ：Ｙを「１」ずらす方法を記載しているが、重なる距離に差がなければどちらをずらしてもよい。また、上述したように、本実施形態では４分周でＬＥＤＡ転送クロックを生成しているため、一致しない組み合わせとしては偶数／奇数しかないが、分周設定を変えた場合には一致しない組み合わせは増える。この場合、制御部３０は、Ｃ色の画像データに対応する位置ずれ補正量と、Ｙ色の画像データに対応する位置ずれ補正量とを比較し、分周設定に応じた値で一致しないよう、Ｃ色の画像データに対応する位置ずれ補正量、および、Ｙ色の画像データに対応する位置ずれ補正量のうちの一方を調整して、データ転送タイミングを設定すればよい。
【００６４】
図１２は、具体的なクロストークによる影響を説明するための模式図である。図１２の例では、ＬＥＤＡ発光信号も示されている点で図９の例と相違する。上記と同様に、ＬＥＤＡ転送クロックは、基準クロックの４分周で生成されている。この分周設定は、マシン生産性等から算出される値であり、条件に応じて分周設定を変えることは可能である。また、ＬＥＤＡデータ信号は、ＬＥＤＡ転送クロックに対して位相差が−９０°になるタイミングで生成されている。上記ＬＥＤＡ転送クロックの立ち上がり／立ち下がりエッジに対して、ＬＥＤＡデータ信号がＡＣ特性であるセットアップ／ホールドタイムを満たすことでデータ転送を実現している。
【００６５】
図１２に示すように、ＬＥＤＡデータ信号：ＹとＬＥＤＡデータ信号：Ｃが同時に動作（位相が一致）し、且つ、ＬＥＤＡデータ信号：Ｍは動作しない場合、図６で記載したように、Ｙ色に対応するＦＦＣ１００ｄとＣ色に対応するＦＦＣ１００ｂに挟まれたＦＦＣ１００ｃ（Ｍ色に対応するＦＦＣ１００ｃ）はクロストークの影響を受けて、本来Ｌｏｗ（ローレベル）固定のデータ信号がＨｉ（ハイレベル）に変化してしまう。図１２では、データ信号は１ｂｉｔしか記載していないが、本実施形態ではＬＥＤＡデータ信号は８ｂｉｔを有する信号であり、複数ｂｉｔが同タイミングで動作した場合、クロストークの影響はより大きくなる。このクロストークの影響により、本来ＬｏｗのＬＥＤＡデータ信号：ＭがＨｉになってしまい、図９の矢印Ｐで示したように、ＬＥＤＡ転送クロック：Ｍに対してセットアップ/ホールドを満たしてしまい、誤データを転送してしまう。
【００６６】
ＬＥＤＡデータ信号：ＹとＬＥＤＡデータ信号：Ｃが同時に動作するかどうかは、図８で記載した１ライン内の書出し位置調整量によって決まる。位置合わせ制御によって算出される画像書出し位置補正量から任意に書出し位置調整量が算出されるので、算出結果に応じて同位相になる場合もあるし、位相がずれる場合もある。
【００６７】
図１３は、具体的なクロストークによる影響を回避する方法について説明するための図である。図１２に記載したように、複数ＣＨにおいて同位相でデータ信号が動作する場合にクロストークによる影響が大きくなるので、一番影響の受けやすいＣＨ（チャンネル）に対して、他のＣＨの位相を故意的にずらすことで、クロストークによる影響を緩和することができる。具体的には、図８に記載した副走査方向の書出し位置補正量をそのまま書出し位置調整量とするのではなく、クロストーク対策の対象となる対象ＣＨ（この例ではデータ信号：Ｍ）に対して、影響を与えるＣＨ（この例ではデータ信号：Ｙ／Ｃ）の書き出し位置調整量を制御し、ＬＥＤＡデータ信号：Ｍに対してＬＥＤＡデータ信号：Ｙ／Ｃの位相がずれるようにする。
【００６８】
具体的には、ＬＥＤＡ転送クロック：Ｙ／Ｍは、基準クロックｃｌｋ＿ｄの４分周における、０番目で信号が立ち上がる（ハイレベルに遷移する）ように設定し、ＬＥＤＡ転送クロック：Ｃは、「１」ずらした、基準クロックｃｌｋ＿ｄの４分周における１番目で信号が立ち上がるように設定する。上記制御を行うことで、ＬＥＤＡデータ信号：Ｍに対してクロストークによる影響は発生するが、ＬＥＤＡ転送クロック：Ｍのセットアップ／ホールドタイミングに対しては影響しないタイミングで発生させることができるので、誤データは転送されない。
【００６９】
以下、ＬＥＤＡデータ信号：Ｍに対してＬＥＤＡデータ信号：Ｙ／Ｃ両方の位相を一致させないための具体的な方法を記載する（以下では、説明の便宜上、制御に関連する３ＣＨ分の計算方法のみ記載する）。以下の説明では、上記と同様に、Ｃ色の画像データに対応する書出し位置補正量を「書出し位置補正量Ｃ１」、Ｍ色の画像データに対応する書出し位置補正量を「書出し位置補正量Ｍ１」、Ｙ色の画像データに対応する書出し位置補正量を「書出し位置補正量Ｙ１」と表記する。また、Ｃ色の画像データに対応する書出し位置調整量を「書出し位置調整量Ｃ２」、Ｍ色の画像データに対応する書出し位置調整量を「書出し位置調整量Ｍ２」、Ｙ色の画像データに対応する書出し位置調整量を「書出し位置調整量Ｙ２」と表記する。
【００７０】
この例では、書出し位置補正量Ｙ１／Ｃ１と書出し位置補正量Ｍ１を比較し、偶数/奇数で一致しないように書出し位置調整量Ｙ２と書出し位置調整量Ｃ２を算出する（この例では４分周でＬＥＤＡ転送クロックを生成しているため、一致しない組み合わせとしては偶数／奇数しかないが、分周設定を変えた場合には一致しない組み合わせは増える）。書出し位置補正量Ｙ１を２で除算した場合の剰余と書出し位置補正量Ｍ１を２で除算した場合の剰余とが一致する場合、書出し位置調整量Ｍ２＝書出し位置補正量Ｍ１（書出し位置補正量Ｍ１をそのまま書出し位置調整量Ｍ２とする）、書出し位置調整量Ｙ２＝書出し位置補正量Ｙ１＋１（ＣＬＫ＿ｄ）とする。
【００７１】
また、書出し位置補正量Ｙ１を２で除算した場合の剰余と書出し位置補正量Ｍ１を２で除算した場合の剰余とが一致しない場合、書出し位置調整量Ｍ２＝書出し位置補正量Ｍ１、書出し位置調整量Ｙ２＝書出し位置補正量Ｙ１とする。
【００７２】
また、書出し位置補正量Ｃ１を２で除算した場合の剰余と書出し位置補正量Ｍ１を２で除算した場合の剰余とが一致する場合、書出し位置調整量Ｍ２＝書出し位置補正量Ｍ１、書出し位置調整量Ｃ２＝書出し位置補正量Ｃ１＋１（ＣＬＫ＿ｄ）とする。
【００７３】
また、書出し位置補正量Ｃ１を２で除算した場合の剰余と書出し位置補正量Ｍ１を２で除算した場合の剰余とが一致しない場合、書出し位置調整量Ｍ２＝書出し位置補正量Ｍ１、書出し位置調整量Ｃ２＝書出し位置補正量Ｃ１とする。
【００７４】
図１４は、具体的なクロストークによる影響と位置ずれを回避する方法を説明するための図である。図１３に記載したように、クロストークによる影響を回避するために、ＬＥＤＡデータ信号：Ｍに対してＬＥＤＡデータ信号Ｙ／Ｃ両方の位相を一致させないようにＬＥＤＡデータ信号：Ｃの位相をずらした。つまり、ＬＥＤＡ転送クロック：Ｙ／Ｍは、基準クロックｃｌｋ＿ｄの４分周における、０番目で信号が立ち上がり、ＬＥＤＡ転送クロック：Ｃは、「１」ずらした、基準クロックｃｌｋ＿ｄの４分周における１番目で信号が立ち上がる。そして、それに合わせてＬＥＤＡ発光信号：Ｃも、基準クロックｃｌｋ＿ｄの４分周における１番目で信号が立ち上がるため、発光タイミングがずれることにより位置ずれが発生してしまう。
【００７５】
そこで、ＬＥＤＡ転送クロック：Ｃを正の方向（経時方向を正の方向とする）に「１」ずらした場合に、ＬＥＤＡ発光信号：Ｃを負の方向に「１」ずらし、基準クロックｃｌｋ＿ｄの４分周における０番目で信号が立ち上がるように設定することで、位置ずれを回避することができる。
【００７６】
なお、この例では、ＬＥＤＡ転送クロック：Ｃを正の方向（経時方向を正の方向とする）に「１」ずらした場合に、ＬＥＤＡ発光信号：Ｃを負の方向に「１」ずらす方法を記載したが、これに限らず、例えばＬＥＤＡ発光信号：Ｙ／Ｍを正の方向に「１」ずらす方法でもよい。この例では、制御部３０（請求項の「露光制御部」に対応）は、データ転送タイミングを調整し、その調整量に応じて発光タイミングを調整していると考えることができる。そして、制御部３０は、データ転送タイミングの調整量に応じて、複数の色と１対１に対応する複数のチャンネル（ＣＨ）の何れかの対象チャンネルの発光タイミングを、データ転送タイミングの調整方向とは逆方向に調整することもできるし、データ転送タイミングの調整量に応じて、複数の色と１対１に対応する複数のチャンネルの何れかの対象チャンネル以外の他のチャンネルの発光タイミングを、データ転送タイミングの調整方向と同じ方向に調整することもできる。
【００７７】
以上に説明したように、本実施形態では、最もクロストークの影響を受け易いチャンネル（この例ではＭ）に対して、他のチャンネルの位相を意図的にずらすことで、クロストークによる影響を緩和することができる。
【００７８】
以上、本発明の実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７９】
３０      制御部
３１      Ｉ／Ｆ部
３２      作像プロセス部
３３      副制御部
３４      操作部
３５      記憶部
３６      プリントジョブ管理部
３７      定着部
３８      読取部
３９      画像書き込み制御部
４０      ラインメモリ
４１      検出部
１０００  画像形成装置
【先行技術文献】
【特許文献】
【００８０】
【特許文献１】特開２０１３−１０９２９５号公報
【図１】
2015110327.tif 000003
【図２】
2015110327.tif 000004
【図３】
2015110327.tif 000005
【図４】
2015110327.tif 000006
【図５】
2015110327.tif 000007
【図６】
2015110327.tif 000008
【図８】
2015110327.tif 000009
【図９】
2015110327.tif 000010
【図１０】
2015110327.tif 000011
【図１１】
2015110327.tif 000012
【図１２】
2015110327.tif 000013
【図１３】
2015110327.tif 000014
【図１４】
2015110327.tif 000015
【図７】
2015110327.tif 000016